(57)【要約】【課題】使用者を安定して支持してリラックス効果を付与することができるリラックス装置を提供する。【解決手段】身体支持部材１３は、使用者が着座可能な座部３０と、その座部３０の後部に傾動可能に固定された背もたれ部３１と、座部３０の前部に傾動可能に固定されたオットマン３２とで構成される。そして、身体支持部材１３を構成する座部３０、背もたれ部３１及びオットマン３２には、その幅方向外側より幅方向内側が低く滑らかな曲面形状となる凹み部４０が形成される。【選択図】図２
2010124858.tif 000002
【特許請求の範囲】
【請求項１】
使用者の身体を支持する身体支持手段と、該身体支持手段を少なくとも一方向に揺動動作させる揺動駆動手段と、該揺動駆動手段を制御してリラックス揺動を行う制御手段とを備えたリラックス装置であって、
前記身体支持手段は、その幅方向外側より内側が凹形状をなす凹み部が形成されたことを特徴とするリラックス装置。
【請求項２】
請求項１に記載のリラックス装置において、
前記身体支持手段は、前記使用者の頭部側を支持する頭部支持部と、前記使用者の腰部側を支持する腰部支持部とを備えるとともに、前記腰部支持部の幅は前記頭部支持部の幅よりも広くなるように形成されたことを特徴とするリラックス装置。
【請求項３】
請求項１又は２に記載のリラックス装置において、
前記身体支持手段の前記凹み部は、幅方向外側から内側にかけて次第に低く滑らかな曲面形状となるように形成されたことを特徴とするリラックス装置。
【請求項４】
請求項１〜３のいずれか一項に記載のリラックス装置において、
前記身体支持手段は、前記使用者が着座可能な座部と、該座部の後部に設けられる背もたれ部と、前記座部の前部に設けられるオットマンとで構成され、
前記凹み部は、前記背もたれ部から前記オットマンにかけて形成されたことを特徴とするリラックス装置。
【請求項５】
使用者の身体を支持する身体支持手段と、該身体支持手段を少なくとも一方向に揺動動作させる揺動駆動手段と、該揺動駆動手段を制御してリラックス揺動を行う制御手段とを備えたリラックス装置であって、
前記身体支持手段は、前記使用者の頭部側を支持する頭部支持部と、前記使用者の腰部側を支持する腰部支持部とを備えるとともに、前記腰部支持部の幅は前記頭部支持部の幅よりも広くなるように形成されたことを特徴とするリラックス装置。
【発明の詳細な説明】
【技術分野】
【０００１】
本発明は、使用者にリラックス効果を付与するリラックス装置に関するものである。
【背景技術】
【０００２】
従来、リラックス装置が使用者にリラックス効果を付与するリラックス装置は、例えば特許文献１に開示されており、使用者の身体を着座状態若しくは寝た状態で支持する身体支持部材を駆動装置にて緩やかに揺動させて、使用者にリラックス効果を付与するものである。
【特許文献１】特開２００１−２９９４８７号公報
【発明の開示】
【発明が解決しようとする課題】
【０００３】
ところで、上記のようなリラックス装置では、使用者が睡眠状態となることも予想されるため、使用者の身体の一部や使用者自身が身体支持部材から落下しないように、その身体支持部材に使用者を安定して支持する構成とすることが望まれている。
【０００４】
本発明は、上記課題を解決するためになされたものであって、その目的は、使用者を安定して支持してリラックス効果を付与することができるリラックス装置を提供することにある。
【課題を解決するための手段】
【０００５】
上記課題を解決するために、請求項１に記載の発明は、使用者の身体を支持する身体支持手段と、該身体支持手段を少なくとも一方向に揺動動作させる揺動駆動手段と、該揺動駆動手段を制御してリラックス揺動を行う制御手段とを備えたリラックス装置であって、前記身体支持手段は、その幅方向外側より内側が凹形状をなす凹み部が形成されたことをその要旨とする。
【０００６】
この発明では、リラックス揺動する身体支持手段には、その幅方向外側より内側が凹形状をなす凹み部が形成される。つまり、使用者は、身体支持手段の凹み部に位置して安定して支持されるため、リラックス状態（特に睡眠状態）となった使用者の身体支持手段からの落下を未然に防止することができる。
【０００７】
請求項２に記載の発明は、請求項１に記載のリラックス装置において、前記身体支持手段は、前記使用者の頭部側を支持する頭部支持部と、前記使用者の腰部側を支持する腰部支持部とを備えるとともに、前記腰部支持部の幅は前記頭部支持部の幅よりも広くなるように形成されたことをその要旨とする。
【０００８】
この発明では、身体支持手段は、頭部支持部と腰部支持部とを備え、腰部支持部の幅が頭部支持部の幅よりも広くなるように形成される。つまり、使用者の腕が位置しやすい腰部支持部を幅広に形成することで、リラックス状態において腕を腰部支持部にて安定して支持でき、腕の身体支持手段からの落下を未然に防止することができる。
【０００９】
請求項３に記載の発明は、請求項１又は２に記載のリラックス装置において、前記身体支持手段の前記凹み部は、幅方向外側から内側にかけて次第に低く滑らかな曲面形状となるように形成されたことをその要旨とする。
【００１０】
この発明では、身体支持手段の凹み部は、幅方向外側から内側にかけて次第に低く滑らかな曲面形状となるように形成される。つまり、身体支持手段の凹み部を曲面に形成することで、使用者との接触がソフトとなり、使用環境の向上に寄与することができる。
【００１１】
請求項４に記載の発明は、請求項１〜３のいずれか一項に記載のリラックス装置において、前記身体支持手段は、前記使用者が着座可能な座部と、該座部の後部に設けられる背もたれ部と、前記座部の前部に設けられるオットマンとで構成され、前記凹み部は、前記背もたれ部から前記オットマンにかけて形成されたことをその要旨とする。
【００１２】
この発明では、身体支持手段は、座部と背もたれ部とオットマンとで構成され、凹み部が背もたれ部からオットマンにかけて形成される。これにより、使用者の身体の略全体を凹み部にて支持することができるため、使用者の身体をより安定して支持することができる。
【００１３】
請求項５に記載の発明は、使用者の身体を支持する身体支持手段と、該身体支持手段を少なくとも一方向に揺動動作させる揺動駆動手段と、該揺動駆動手段を制御してリラックス揺動を行う制御手段とを備えたリラックス装置であって、前記身体支持手段は、前記使用者の頭部側を支持する頭部支持部と、前記使用者の腰部側を支持する腰部支持部とを備えるとともに、前記腰部支持部の幅は前記頭部支持部の幅よりも広くなるように形成されたことをその要旨とする。
【００１４】
この発明では、身体支持手段は、頭部支持部と腰部支持部とを備え、腰部支持部の幅が頭部支持部の幅よりも広くなるように形成される。つまり、使用者の腕が位置しやすい腰部支持部を幅広に形成することで、リラックス状態において腕を腰部支持部にて安定して支持でき、腕の身体支持手段からの落下を未然に防止することができる。
【発明の効果】
【００１５】
本発明によれば、使用者を安定して支持してリラックス効果を付与することができるリラックス装置を提供することができる。
【発明を実施するための最良の形態】
【００１６】
以下、本発明を具体化した一実施形態を図面に従って説明する。
図１は、本実施形態のリラックス装置の概略構成図を示す。図１に示すように、リラックス装置１０は、その基台１１の底部１１ａが図示しない床面に載置されるとともに、基台１１に設けられた揺動駆動手段としての揺動駆動装置１２と該揺動駆動装置１２により揺動される身体支持手段としての身体支持部材１３とを備えている。
【００１７】
揺動駆動装置１２は、モータ２０と、減速機２１と、クランク機構２２と、リンク部材２３とから構成されている。
モータ２０は、基台１１の底部１１ａ上面に設けられるとともに、前記底部１１ａ上面に設けられる制御手段としてのコントローラ２４によりその駆動が制御されている。減速機２１は、基台１１の底部１１ａ上面に設けられるとともに、前記モータ２０と駆動連結され、モータ２０の駆動力を減速出力するものである。
【００１８】
クランク機構２２は、２つの接続部材２２ａ，２２ｂから構成されるとともに、減速機２１の回転駆動を半径の極めて大きな円弧運動に変換するものである。接続部材２２ａは、その基端が減速機２１の出力軸と一体回転可能に接続されるとともに、その先端が接続部材２２ｂの基端と回転可能に接続されている。接続部材２２ｂの先端は、身体支持部材１３が固定される四角枠状のベース部２５の下部と接続されている。
【００１９】
前記基台１１には、その底部１１ａから上方向に突設される支持枠１１ｂが備えられており、２つのリンク部材２３はそれらの基端が各支持枠１１ｂ上部に所定間隔を有して回転可能に連結されるとともに、各先端がベース部２５の下部と回転可能に連結されている。つまり、この２本のリンク部材２３は、基端を中心として回動するようになっており、クランク機構２２からの駆動力を基に、ベース部２５に固定される身体支持部材１３をロッキングチェア等のように前後方向に揺動させている。
【００２０】
ベース部２５の上部には、椅子型の身体支持部材１３を構成する座部３０がベース部２５と一体移動可能に固定されており、この身体支持部材１３は、座部３０の後側に背もたれ部３１が、座部３０の前側にオットマン３２がそれぞれ一体的な構成をなしている。身体支持部材１３は、平面視で背もたれ部３１の後部側（使用者の頭部側）で使用者の頭部を支持する頭部支持部３１ａから使用者の腕を含む腰部側を支持する腰部支持部３１ｂにかけて次第に幅広となり、腰部支持部３１ｂの側の前部側及び座部３０の後部側からオットマン３２の先端側にかけて次第に幅狭となって、全体的に曲線状に形成されている。ここで、腰部支持部３１ｂの幅Ｘは頭部支持部３１ａの幅Ｙよりも広くなるように形成されている。
【００２１】
図２（ａ）（ｂ）に示すように、身体支持部材１３を構成する座部３０、背もたれ部３１及びオットマン３２には、幅方向外側よりも幅方向内側（中央側）が凹形状となる凹み部４０が形成されている。この凹み部４０は、幅方向外側から幅方向内側にかけて次第に低く滑らかな曲面形状で形成されるとともに、背もたれ部３１からオットマン３２の全体に亘って凹み部４０が形成されている。
【００２２】
図１及び図２（ａ）に示すように、身体支持部材１３（背もたれ部３１）の側面には、前記コントローラ２４（図１参照）と電気的に接続されるとともに、使用者による操作が可能な操作部４１が設けられている。この操作部４１には、複数の揺動パターンが設定されたコース選択部スイッチ等、各種スイッチが設けられている。そして、使用者にて操作部４１の各スイッチが選択されることでコントローラ２４に適宜信号が出力され、コントローラ２４による各部の制御が行われるようになっている。
【００２３】
上記のように構成されたリラックス装置１０は、コントローラ２４によりモータ２０制御がなされ、身体支持部材１３を前後方向に揺動させて使用者に対して効果的にリラックス効果を付与するリラックス揺動を行うようになっている。尚、リラックス揺動において、例えば揺動動作の周波数を時間の経過に伴って低くしていき、使用者の呼吸を誘導する構成が望ましい。
【００２４】
この時、使用者が睡眠状態となった場合であっても、身体支持部材１３の曲面形状の凹み部４０にて支持されるため、例えば睡眠状態の使用者が寝返り等を行って身体支持部材１３から落下することを抑制できる。また、凹み部４０が滑らかな曲面形状であるため、使用者にソフトな感触を提供でき、使用環境の向上に寄与することができる。また、凹み部４０が身体支持部材１３の全体にわたって形成されているため、より安定して使用者の身体を支持することができる。また、背もたれ部３１の腰部支持部３１ｂの幅Ｘが頭部支持部３１ａの幅Ｙよりも広くなる様に形成されているため、使用者の腕を腰部支持部３１ｂにて支持することが可能となり、身体支持部材１３からの身体の一部である腕の落下を未然に防止することができる。これらのことから、使用者に対してリラックス揺動によるリラックス効果を安定して付与することが可能となる。
【００２５】
上記のリラックス揺動後、コントローラ２４は、モータ２０制御を行って、リラックス揺動時よりも例えば揺動動作の振幅を大きくしたり揺動動作の周波数を高くしたりし、リラックス（睡眠）状態となった使用者を覚醒させるリフレッシュ揺動を行うようになっている。
【００２６】
次に、本実施形態の特徴的な作用効果を記載する。
（１）身体支持手段としての身体支持部材１３は、使用者が着座可能な座部３０と、その座部３０の後部に傾動可能に固定された背もたれ部３１と、座部３０の前部に傾動可能に固定されたオットマン３２とで構成される。そして、身体支持部材１３は、その幅方向外側より幅方向内側が凹形状をなす凹み部４０が形成される。つまり、使用者は、身体支持部材１３の凹み部４０に位置して安定して支持されるため、リラックス状態（特に睡眠状態）となった使用者の身体支持部材１３からの落下を未然に防止することができる。
【００２７】
（２）身体支持部材１３を構成する背もたれ部３１は、使用者の頭部側を支持する頭部支持部３１ａと、使用者の腰部側を支持する腰部支持部３１ｂとを備えるとともに、腰部支持部３１ｂの幅Ｘは頭部支持部３１ａの幅Ｙよりも広くなるように形成される。つまり、使用者の腕が位置しやすい腰部支持部３１ｂを幅広に形成することで、リラックス状態において腕を腰部支持部３１ｂにて安定して支持でき、使用者の腕の身体支持部材１３からの落下を未然に防止することができる。
【００２８】
（３）身体支持部材１３の凹み部４０は、幅方向外側から幅方向内側にかけて次第に低く滑らかな曲面形状となるように形成される。つまり、身体支持部材１３の凹み部４０を曲面に形成することで、使用者との接触がソフトとなり、使用環境の向上に寄与することができる。
【００２９】
（４）身体支持部材１３の凹み部４０は、背もたれ部３１からオットマン３２にかけて形成、つまり身体支持部材１３の略全体にわたって形成される。これにより、使用者の身体の略全体を凹み部４０にて支持することができるため、使用者の身体をより安定して支持することができる。
【００３０】
尚、本発明の実施形態は、以下のように変更してもよい。
・上記実施形態では、身体支持部材１３に凹み部４０を形成し、腰部支持部３１ｂの幅Ｘは頭部支持部３１ａの幅Ｙよりも広くなるように形成したが、これに限らない。例えば、身体支持部材１３の凹み部４０を省略し、腰部支持部３１ｂの幅Ｘは頭部支持部３１ａの幅Ｙよりも広くなるような構成を採用してもよい。また、腰部支持部３１ｂの幅Ｘは頭部支持部３１ａの幅Ｙよりも広くなるような構成を省略し、身体支持部材１３に凹み部４０のみを設ける構成を採用してもよい。
【００３１】
・上記実施形態では、背もたれ部３１からオットマン３２、つまり身体支持部材１３の全体にかけて、凹み部４０を設ける構成としたが、これに限らず、例えば背もたれ部３１、座部３０及びオットマン３２の内の少なくとも一つに凹み部４０を設ける構成を採用してもよい。
【００３２】
・上記実施形態では、凹み部４０を幅方向外側から幅方向内側にかけて次第に低く曲面形状なるように形成したが、これに限らない。要は、身体支持部材１３の幅方向内側をその幅方向外側よりも低く凹形状となるように凹み部４０を構成すればよい。
【００３３】
・上記実施形態では、身体支持部材１３を前後方向に揺動させる構成としたが、これに限らず、例えば身体支持部材１３を幅方向に揺動させる構成としてもよい。
・上記実施形態では、特に言及していないが、例えば、背もたれ部３１及びオットマン３２の少なくとも一方と座部３０とがなす角度を変更可能、つまり、背もたれ部３１及びオットマン３２の少なくとも一方を座部３０に対して傾動可能に構成してもよい。
【００３４】
・上記実施形態では、操作部４１を背もたれ部３１の側面に設ける構成としたが、これに限らず、例えば座部３０の側面やその他の場所に設ける構成を採用してもよい。
・上記実施形態では、特に言及していないが、身体支持部材１３の各部にエアバッグを設けて適宜膨縮動作を行ってマッサージ等のリラックス効果や、膨張動作の刺激によるリフレッシュ効果を付与する構成を採用してもよい。
【００３５】
・上記実施形態では、リラックス揺動後にリフレッシュ揺動を行う構成としたが、リラックス揺動のみ行う構成としてもよい。
・上記実施形態では、特に言及していないが、リラックス揺動やリフレッシュ揺動に対応した音楽や振動を付与する構成を追加してもよい。
【図面の簡単な説明】
【００３６】
【図１】本実施形態におけるリラックス装置の概略構成図である。
【図２】（ａ）（ｂ）身体支持部材について説明するための説明図である。
【符号の説明】
【００３７】
１０…リラックス装置、１３…身体支持手段としての身体支持部材、３０…身体支持手段を構成する座部、３１…身体支持手段を構成する背もたれ部、３１ａ…頭部支持部、３１ｂ…腰部支持部、３２…身体支持手段を構成するオットマン、４０…凹み部、Ｘ，Ｙ…幅。
【図１】
2010124858.tif 000003
【図２】
2010124858.tif 000004